(57)【特許請求の範囲】
【請求項１】
重ね合わせる単位帳票同士を照合するための照合マークと、この照合マークを読み取るタイミングを指示するためのタイミングマークを設けるとともに、このタイミングマークと前記照合マークとの帳票移送方向の間隔を重ね合わせる各単位帳票毎に異ならせて設けた単位帳票が、分離可能に多数連接されてなる連続帳票を、複数枚それぞれ移送装置で移送しながら、互いに対応する単位帳票毎に重ね合わせて丁合する連続帳票の丁合装置であって、前記各移送装置の前段に配置した前記タイミングマーク及び前記照合マークを読み取るマークリーダと、前記移送装置による帳票移送量を検出する帳票移送量検出装置と、前記マークリーダが前記タイミングマークを読み取ると、前記帳票移送量検出装置による帳票移送量検出信号に基づいて帳票移送量を演算し、前記タイミングマークと前記照合マークとの帳票移送方向の間隔に応じて各連続帳票毎にあらかじめ設定したタイミングで前記照合マークを読み取るよう制御する制御部とを設けてなることを特徴とする連続帳票の丁合装置。
【発明の詳細な説明】
【０００１】
【発明の属する技術分野】
本発明は、電子写真式プリンタのようなノンインパクトプリンタで所定情報を印字した複数枚の連続帳票を、互いに対応する単位帳票毎に重ね合わせて丁合する連続帳票の丁合装置に関し、特に、各単位帳票には重ね合わせる単位帳票同士を照合するための照合マークと、この照合マークを読み取るタイミングを指示するためのタイミングマークを設けるとともに、これら両マークを、重ね合わせる各単位帳票毎に帳票移送方向の間隔を異ならせて設けてなる連続帳票を丁合するための丁合装置に関する。
【０００２】
【従来の技術】
従来、ノンインパクトプリンタで各単位帳票に所定情報を印字した複数枚の連続帳票を、互いに対応する単位帳票毎に重ね合わせて丁合するには、例えば特公平２−５９０７６号公報に開示されているように、１枚ずつ引き出しトラクタで移送してきた連続帳票を、重ね合わせトラクタに対応する単位帳票同士が重なるようにセットして行っている。
【０００３】
【発明が解決しようとする課題】
ところが、従来においては、引き出しトラクタに連続帳票をセットする際に、重ね合わせる順番を取り違えて間違った引き出しトラクタにセットしてしまうこともあるが、この誤りは連続帳票を重ね合わせて丁合する際でなければ検出できず、引き出しトラクタへ再セットする作業が煩雑で手間がかかるという不都合がある。
【０００４】
本発明は、このような従来の不都合を解消して、当初トラクタにセットした段階で、適正な連続帳票がセットされているか否かを判断できる丁合装置を提供することを目的とする。
【０００５】
【課題を解決するための手段】
この目的を達成するために、本願発明の請求項１に記載した連続帳票の丁合装置は、重ね合わせる単位帳票同士を照合するための照合マークと、この照合マークを読み取るタイミングを指示するためのタイミングマークを設けるとともに、このタイミングマークと前記照合マークとの帳票移送方向の間隔を重ね合わせる各単位帳票毎に異ならせて設けた単位帳票が、分離可能に多数連接されてなる連続帳票を、複数枚それぞれ移送装置で移送しながら、互いに対応する単位帳票毎に重ね合わせて丁合する連続帳票の丁合装置であって、前記各移送装置の前段に配置した前記タイミングマーク及び前記照合マークを読み取るマークリーダと、前記移送装置による帳票移送量を検出する帳票移送量検出装置と、前記マークリーダが前記タイミングマークを読み取ると、前記帳票移送量検出装置による帳票移送量検出信号に基づいて帳票移送量を演算し、前記タイミングマークと前記照合マークとの帳票移送方向の間隔に応じて各連続帳票毎にあらかじめ設定したタイミングで前記照合マークを読み取るよう制御する制御部とを設けてなるものである。
【０００６】
【発明の実施の形態】
以下、本発明の好適な実施の形態を添付図面に基づいて詳細に説明する。ここにおいて、図１は６枚の連続帳票を示す平面図、図２は丁合装置全体を示す斜視図、図３は丁合装置の制御系統を示す説明図、図４は帳票送り装置の詳細を示す側面図である。
【０００７】
はじめに、丁合する連続帳票を説明する。図１に示すように、６枚の連続帳票１０ａ，１０ｂ，１０ｃ，１０ｄ，１０ｅ，１０ｆ（以下１０ａ〜１０ｆと表示）は、単位帳票１０１ａ，１０１ｂ，１０１ｃ，１０１ｄ，１０１ｅ，１０１ｆ（以下１０１ａ〜１０１ｆと表示）が、折り兼切り用ミシン目１０２ａ，１０２ｂ，１０２ｃ，１０２ｄ，１０２ｅ，１０２ｆ（以下１０２ａ〜１０２ｆと表示）を介して連接された連続状態にあり、幅方向両側端には等間隔に多数の移送孔１０３ａ，１０３ｂ，１０３ｃ，１０３ｄ，１０３ｅ，１０３ｆ（以下１０３ａ〜１０３ｆと表示）を穿設している。
【０００８】
また、各単位帳票１０１ａ〜１０１ｆの表面側には、所定情報１０７ａ，１０７ｂ，１０７ｃ，１０７ｄ，１０７ｅ，１０７ｆ（以下１０７ａ〜１０７ｆと表示）を印字する情報記載欄１０４ａ，１０４ｂ，１０４ｃ，１０４ｄ，１０４ｅ，１０４ｆ（以下１０４ａ〜１０４ｆと表示）をそれぞれ設けるとともに、最先に位置する１番目の各単位帳票１０１ａ〜１０１ｆを除いて、タイミングマーク１０５ａ，１０５ｂ，１０５ｃ，１０５ｄ，１０５ｅ，１０５ｆ（以下１０５ａ〜１０５ｆと表示）と照合マーク１０６ａ，１０６ｂ，１０６ｃ，１０６ｄ，１０６ｅ，１０６ｆ（以下１０６ａ〜１０６ｆと表示）をそれぞれ設けている。
【０００９】
これらタイミングマーク１０５ａ〜１０５ｆと照合マーク１０６ａ〜１０６ｆは、プリンタ等で情報記載欄１０４ａ〜１０４ｆへの情報１０７ａ〜１０７ｆの印字とともに、同時に印字する。また、前記タイミングマーク１０５ａ〜１０５ｆは、印刷機により前記情報記載欄１０４ａ〜１０４ｆを印刷する際、同時に印刷してあらかじめ形成しておいてもよいが、前記タイミングマーク１０５ａ〜１０５ｆと前記照合マーク１０６ａ〜１０６ｆの位置がずれないように形成するには、両マーク１０５ａ〜１０５ｆ，１０６ａ〜１０６ｆを同時に印字することが好ましい。
【００１０】
各タイミングマーク１０５ａ〜１０５ｆは、１本のバーからなり、その長さと幅方向の位置（左端縁からの距離）は同一であるが、天地方向の位置（天地端からの距離）は、各連続帳票１０ａ〜１０ｆ毎に、換言すると重ね合わせる各単位帳票１０１ａ〜１０１ｆ毎に相違している。すなわち、単位帳票１０１ａのタイミングマーク１０５ａがもっとも天端縁を形成する折り兼切り用ミシン目１０２ａに近い位置にあり、単位帳票１０１ｂ、単位帳票１０１ｃ、単位帳票１０１ｄ、単位帳票１０１ｅの順に徐々に離れて、単位帳票１０１ｆが最も離れた位置にある。
【００１１】
一方、照合マーク１０６ａ〜１０６ｆは、平行に伸びる複数本（図示例では４本）のバーからなり、その長さ及び設置位置は各単位帳票１０１ａ〜１０１ｆで同一である。したがって、単位帳票１０１ａにおけるタイミングマーク１０５ａと照合マーク１０６ａとの帳票移送方向である天地方向の間隔が最も広く、単位帳票１０１ｂ、単位帳票１０１ｃ、単位帳票１０１ｄ、単位帳票１０１ｅの順に徐々に狭くなって、単位帳票１０１ｆにおける両マークの天地方向の間隔が最も狭くなっている。
【００１２】
次に、上述した連続帳票１０ａ〜１０ｆを丁合する装置について説明する。図２及び図３に示すように、丁合装置１は、６枚の連続帳票１０ａ〜１０ｆを丁合するもので、帳票移送方向に直列に配置した６台の帳票送り装置２ａ〜２ｆと、これら各帳票送り装置２ａ〜２ｆに連続帳票１０ａ〜１０ｆを供給するための６台の帳票供給台３ａ〜３ｆを備えている。丁合した連続帳票１０ａ〜１０ｆは、表裏反転装置４で表裏を反転したうえ、切断装置５で移送孔１０３ａ〜１０３ｆ部分を切断除去し、単位帳票１０１ａ〜１０１ｆ毎に切断して、スタッカ装置６にスタックするよう構成している。
【００１３】
図３及び図４に示すように、各帳票送り装置２ａ〜２ｆは、それぞれ移送装置であるトラクタ１１ａ〜１１ｆを備えるとともに、これら各トラクタ１１ａ〜１１ｆに連続帳票１０ａ〜１０ｆを案内するガイドローラ１２ａ〜１２ｆを備えている。また、最終段の帳票送り装置２ｆを除いて、次段の帳票送り装置２ｂ〜２ｆのガイドローラ１２ｂ〜１２ｆに連続帳票１０ｂ〜１０ｆを供給する供給ローラ１３ａ〜１３ｅを備えている。さらに、帳票供給台３ａには、帳票送り装置２ａのガイドローラ１２ａに連続帳票１０ａを供給する供給ローラ１３を設けている。
【００１４】
そして、これら各供給ローラ１３ａ〜１３ｅに対応して、連続帳票１０ｂ〜１０ｆの終端を検出する終端検出センサ１４ａ、１４ｂ（帳票送り装置２ａ，２ｂについてのみ図示、図４参照）を設け、これらの検出信号を制御部たる制御装置２４に出力するよう構成している。なお、図示してはいないが、供給ローラ１３には、連続帳票１０ａの終端を検出する終端検出センサたるマイクロスイッチを設けており、このマイクロスイッチも前記制御装置２４に検出信号を出力するよう構成している。
【００１５】
さらに、各帳票送り装置２ａ〜２ｆには、先頭から２番目以後の各単位帳票１０１ａ〜１０１ｆに設けたタイミングマーク１０５ａ〜１０５ｆと照合マーク１０６ａ〜１０６ｆを読み取るためのマークリーダ１５ａ，１５ｂと、糊ノズル１６ｂを設けている（但し、糊ノズルについては帳票送り装置２ａにはなく、マークリーダ１５ａ，１５ｂについては帳票送り装置２ａ，２ｂについてのみ図示、図４参照）。また、前記マークリーダ１５ａ，１５ｂの読み取り信号は、制御装置２４に送るよう構成している。
【００１６】
また、各帳票送り装置２ａ〜２ｆのトラクタ１１ａ〜１１ｆには、連続帳票１０ａ〜１０ｆがトラクタピンから外れたことを検知する脱ピンセンサ１８ａ，１８ｂと、連続帳票１０ａ〜１０ｆの先端を検出する先端検出センサ１９ａ，１９ｂを設けている（帳票送り装置２ａ，２ｂについてのみ図示、図４参照）。これら各センサ１８ａ，１８ｂ，１９ａ，１９ｂの検出信号は、制御装置２４に送るよう構成している。
【００１７】
トラクタ１１ａを除く各トラクタ１１ｂ〜１１ｆには、連続用紙１０の所定位置に糊ノズル１６ｂで塗布した糊（図示せず）の接着を確実にするために圧着ローラ２０ｂ〜２０ｆを設けている。また、各帳票送り装置２ａ〜２ｆには、各トラクタ１１ａ〜１１ｆを駆動するための第１スタートスイッチ２１ａ〜２１ｆと、第２スタートスイッチ２２ａ〜２２ｆとを備えている。これら各トラクタ１１ａ〜１１ｆの駆動は、制御装置２４によって制御されるもので、この制御装置２４には、前記第１スタートスイッチ２１ａ〜２１ｆと、第２スタートスイッチ２２ａ〜２２ｆからオンオフ信号が入力するように構成されている。
【００１８】
各トラクタ１１ａ〜１１ｆには、帳票移送量検出装置２３ａ〜２３ｆを設け、検出した帳票移送量を制御装置２４に送るよう構成している。この制御装置２４は、終端検出センサ１４ａ，１４ｂの検出信号を受けると、前記帳票移送量検出装置２３ａ〜２３ｆからの移送量検出信号に基づき、帳票終端がトラクタ１１ａ〜１１ｆの近傍で停止するようトラクタ１１ａ〜１１ｆの駆動を制御するものである。さらに、前記制御装置２４は、各糊ノズル１６ｂ〜１６ｆの動作も制御するものである。
【００１９】
そして、制御装置２４は、第１スタートスイッチ２１ａ〜２１ｆがオン動作すると、トラクタ１１ａ〜１１ｅを、連続帳票１０ａ〜１０ｅを先端検出センサ１９ａ〜１９ｅ位置から次段のトラクタ１１ｂ〜１１ｆの先端検出センサ１９ｂ〜１９ｆ位置まで移動する所定距離分だけ駆動するよう制御する。また、制御装置２４は、第２スタートスイッチ２１ａ〜２１ｆがオン動作すると、オン動作している時間だけ、トラクタ１１ａ〜１１ｆを駆動するよう制御する。
【００２０】
さらに、制御装置２４は、第２スタートスイッチ２１ａ〜２１ｆがオン動作されて、連続帳票１０ａ〜１０ｅが基準位置となる先端検出センサ１９ａ〜１９ｅをすでに越えている場合には、第１スタートスイッチ２１ａ〜２１ｆがオン動作されると、上述の所定距離から第２スタートスイッチ２１ａ〜２１ｆによる移送距離を引いた分だけ移送するよう制御する。また、制御装置２４には、プログラムや各種データを格納する記憶部２５と、キーボードやすべてのトラクタ１１ａ〜１１ｆのオンオフ制御をするメイン駆動スイッチ等の各種スイッチ類からなる入力部２６が接続されている。
【００２１】
そして、制御装置２４に接続した記憶部２５には、各連続帳票１０ａ〜１０ｆの各単位帳票１０１ａ〜１０１ｆにおける天端縁と各タイミングマーク１０５ａ〜１０５ｆとの間隔と、各タイミングマーク１０５ａ〜１０５ｆと各照合マーク１０６ａ〜１０６ｆとの間隔をあらかじめ入力し、前記制御装置２４は、先端検出センサ１９ａ〜１９ｆが各連続帳票１０ａ〜１０ｆの先端を検出すると、前記各間隔と帳票移送量に応じた所定のタイミングで、先頭から２番目以後の各単位帳票１０１ａ〜１０１ｆからマークリーダ１５ａ，１５ｂによる各タイミングマーク１０５ａ〜１０５ｆと各照合マーク１０６ａ〜１０６ｆの読み取りを行うよう制御する。なお、帳票移送量は、各帳票移送量検出装置２３ａ〜２３ｆの検出信号に基づき前記制御装置２４で演算する。
【００２２】
次に、上述のように構成した丁合装置１の動作を説明する。まず、帳票セット動作を説明する。各帳票供給台３ａ〜３ｆから連続帳票１０ａ〜１０ｆを引き出し、供給ローラ１３，１３ａ〜１３ｅ、ガイドローラ１２ａ〜１２ｆを経て、その先端部の移送孔１０３ａ〜１０３ｆを各トラクタ１１ａ〜１１ｆのピンに係合する。ここで、トラクタピンの位置が連続帳票１０ａ〜１０ｆの移送孔１０３ａ〜１０３ｆと正確に対応しない場合には、第２スタートスイッチ２２ａをオン動作してトラクタピンの位置を移動し、調整する。
【００２３】
続いて、帳票送り装置２ａの第１スタートスイッチ２１ａをオン動作し、連続帳票１０ａを次段の帳票送り装置２ｂに向けて、トラクタ１１ａで先端検出センサ１９ａを基準位置としてここから所定距離移送する。ここで、第２スタートスイッチ２２ａのオン動作で連続帳票１０ａが先端検出センサ１９ａを越えて位置している場合には、この越えた移送分を前記所定距離分から差し引いて移送する。そして、帳票移送量検出装置２３ａが所定距離分の移送量を検出すると、所定位置に達したものと判断し、連続帳票１０ａの移送を停止する。
【００２４】
この際、連続帳票１０ａの先端を先端検出センサ１９ａが検出すると、制御装置２４は、帳票移送量検出装置２３ａの検出信号に基づき、帳票移送量の演算を行う。そして、前記制御装置２４は、この帳票移送量に基づいて、あらかじめ設定していた所定のタイミングで、マークリーダ１５ａが先頭から２番目の単位帳票１０１ａのタイミングマーク１０５ａを読み取り、さらにこのタイミングマーク１０５ａの読み取り信号に基づいて、前記マークリーダ１５ａが照合マーク１０６ａの読み取りを行うよう制御する。
【００２５】
ここで、トラクタ１１ａに適正な連続帳票１０ａがセットされていないと、タイミングマーク１０５ａの位置が読み取りタイミングと一致せず、また、タイミングマーク１０５ａと照合マーク１０６ａの間隔と、照合マーク１０６ａの読み取りタイミングも一致しないので、タイミングマーク１０５ａ及び照合マーク１０６ａをマークリーダ１５ａで読み取ることができない。したがって、このタイミングマーク１０５ａ及び照合マーク１０６ａの読み取り動作の可否によって、適正な連続帳票１０ａがセットされているか否かを判断でき、不適正な場合は適正な連続帳票１０ａをトラクタ１１ａにセットし直す。
【００２６】
タイミングマーク１０５ａ及び照合マーク１０６ａの読み取りがなされた適正な連続帳票１０ａにあっては、この帳票送り装置２ａから移送されてきた連続帳票１０ａを、帳票供給台３ｂから送られてきた連続帳票１０ｂと重ね合わせて、その移送孔１０３ａ，１０３ｂをトラクタ１１ｂのピンに係合することにより、帳票送り装置２ｂでの帳票セットを行う。この際、連続帳票１０ｂが適正なものか否かについても、同様に判断し、不適性なものであれば、適正な連続帳票１０ｂをトラクタ１１ｂにセットし直したうえ、適正な連続帳票１０ａとともにトラクタ１１ｂにセットする。
【００２７】
上述した帳票セット動作を、帳票送り装置２ｂから帳票送り装置２ｆまで順次行うことにより、すべての帳票送り装置２ａ〜２ｆでの帳票セットが完了する。  帳票セット完了後、メイン駆動スイッチをオン動作すると、各帳票送り装置２ａ〜２ｆのトラクタ１１ａ〜１１ｆが駆動され、帳票送り装置２ｂ〜２ｆにおいてはタイミングマーク１０５ｂ〜１０５ｆの検出とともに、照合マーク１０６ｂ〜１０６ｆが読み出されると、糊ノズル１６ｂから連続帳票１０ｂ〜１０ｆの所定位置に糊が塗布されたうえ、重ね合わされていく。
【００２８】
重ね合わされた連続帳票１０ａ〜１０ｆは、圧着ローラ２０ｂ〜２０ｆによって所定の圧力を付与されて確実に綴じ合わされ、帳票送り装置２ｆに至ると、６枚の連続帳票１０ａ〜１０ｆが丁合された、重ね合わせ連続帳票となる。この丁合された重ね合わせ連続帳票は、表裏反転装置４によって表裏を反転された後、切断装置５によって単位帳票１０１ａ〜１０１ｆ毎に切断され、スタッカ６に順次堆積されていく。
【００２９】
なお、本発明は、上述の各実施形態に限定されるものではなく、例えば、タイミングマーク１０５ａ〜１０５ｆの読み取りをより確実に行うために、タイミングマーク１０５ａ〜１０５ｆの読み取りに先立って読み取るスタートマークを各単位帳票１０１ａ〜１０１ｆに設けてもよい。また、照合マーク１０６ａ〜１０６ｆは、単位帳票１０１ａ〜１０１ｆの天端縁もしくは地端縁の一方に沿って、バーが縦方向に伸びるよう設けてもよい。さらに、帳票供給部３ａ〜３ｆと帳票送り装置２ａ〜２ｆは６組に限らず、丁合する連続帳票１０ａ〜１０ｆの枚数に応じた組数を設ければよい。
【００３０】
【発明の効果】
以上のように、本発明の請求項１における丁合装置によれば、重ね合わせる単位帳票毎にタイミングマークと照合マークとの位置関係を異ならせた連続帳票の照合マークを、タイミングマークの検出に基づいた所定のタイミングで読み取るので、当初移送装置に連続帳票をセットした段階で、適正な連続帳票がセットされているか否かを判断でき、連続帳票のセットし直し動作も容易であるという効果を奏する。
【図面の簡単な説明】
【図１】  連続帳票を示す平面図。
【図２】  丁合装置全体を示す斜視図。
【図３】  丁合装置の制御系統を示す説明図。
【図４】  帳票送り装置の詳細を示す側面図。
【符号の説明】
１      丁合装置
２ａ〜２ｆ      帳票送り装置
３ａ〜３ｆ      帳票供給台
１０ａ〜１０ｆ      連続帳票
１１ａ〜１１ｆ      トラクタ
１５ａ〜１５ｂ      マークリーダ
１６ｂ      糊ノズル
２４      制御装置
２５      記憶部
１０１ａ〜１０１ｆ      単位帳票
１０５ａ〜１０５ｆ      タイミングマーク
１０６ａ〜１０６ｆ      照合マーク
【図１】
0003751158.tif 000002
【図２】
0003751158.tif 000003
【図３】
0003751158.tif 000004
【図４】
0003751158.tif 000005